(57)【特許請求の範囲】
【請求項１】
表示画面（２０）であって、前記表示画面（２０）が表示エリア（２２）を含み、前記表示エリア（２２）が低頻度表示サブエリア（２２２）及び前記低頻度表示サブエリア（２２２）以外の他のサブエリアを含み、前記低頻度表示サブエリア（２２２）における表示内容の変更頻度が所定の頻度閾値よりも低く、前記表示画面（２０）が前記低頻度表示サブエリア（２２２）にスロット（２４）を設けられている、表示画面（２０）を備え、
前記他のサブエリア、及び前記低頻度表示サブエリア（２２２）は、同じ表示画面に構成される、電子装置（１００）。
【請求項２】
前記所定の頻度閾値が、前記表示エリア（２２）の他のサブエリアにおける表示内容の変更頻度の最小値以下である、請求項１に記載の電子装置（１００）。
【請求項３】
前記所定の頻度閾値が、前記低頻度表示サブエリア（２２２）の周辺サブエリアにおける表示内容の変更頻度の最小値以下である、請求項１に記載の電子装置（１００）。
【請求項４】
前記表示画面（２０）が、表示面（２６）と前記表示面（２６）とは反対側を向いた背面（２８）とを備え、前記スロット（２４）が、前記表示面（２６）と前記背面（２８）とを貫通している、請求項１から３のいずれか一項に記載の電子装置（１００）。
【請求項５】
前記低頻度表示サブエリア（２２２）が連続したサブエリアとして構成される、または前記低頻度表示サブエリア（２２２）が複数の不連続なサブエリアを含む、請求項１から４のいずれか一項に記載の電子装置（１００）。
【請求項６】
前記表示画面（２０）が、有機発光ダイオード表示画面、フレキシブル有機発光ダイオード表示画面、および液晶表示画面のうちのいずれか１つである、請求項１から５のいずれか一項に記載の電子装置（１００）。
【請求項７】
前記スロット（２４）が孔（２４２）を含み、前記孔（２４２）が前記表示エリア（２２）の縁部から離間している、および／または
前記スロット（２４）がノッチ（２４４）を含み、前記ノッチ（２４４）が前記表示エリア（２２）の縁部に設けられている、請求項１から６のいずれか一項に記載の電子装置（１００）。
【請求項８】
前記電子装置（１００）は、入出力コンポーネント（３０）であって、前記入出力コンポーネント（３０）は、前記入出力コンポーネント（３０）が前記スロット（２４）を介して外部から信号を受信すること、および／または外部に信号を放出することを可能にするように、前記スロット（２４）に対応して配置される、入出力コンポーネント（３０）をさらに備える、請求項１から７のいずれか一項に記載の電子装置（１００）。
【請求項９】
複数の入出力コンポーネント（３０）が設けられ、１つのスロット（２４）が設けられ、前記複数の入出力コンポーネント（３０）と前記１つのスロット（２４）とが、位置に関して対応して配置される、または
複数の入出力コンポーネント（３０）が設けられ、複数のスロット（２４）が設けられ、前記スロット（２４）の数が前記入出力コンポーネント（３０）の数に等しく、各入出力コンポーネント（３０）と対応する１つのスロット（２４）とが、位置に関して対応して配置される、請求項８に記載の電子装置（１００）。
【請求項１０】
前記入出力コンポーネント（３０）が、カメラ（３２）、光学センサ、および受信機（４０）のうちの少なくとも１つを含む、請求項８または９に記載の電子装置（１００）。
【請求項１１】
前記入出力コンポーネント（３０）が２つのカメラ（３２）を含み、１つのスロット（２４）が設けられ、前記２つのカメラ（３２）と前記１つのスロット（２４）が、位置に関して対応して配置される、または
前記入出力コンポーネント（３０）が２つのカメラ（３２）を含み、複数のスロット（２４）が設けられ、各カメラ（３２）と対応する１つのスロット（２４）とが、位置に関して対応して配置される、請求項８に記載の電子装置（１００）。
【請求項１２】
前記電子装置（１００）は、本体（１０）であって、前記表示画面（２０）が前記本体（１０）内に配置され、前記本体（１０）が上部（１２）、底部（１４）、および前記上部（１２）と前記底部（１４）とに接続された側部（１６）を含む、本体（１０）をさらに備え、前記電子装置（１００）は、前記上部（１２）または前記側部（１６）に配置された受信機（４０）をさらに備える、請求項１から７のいずれか一項に記載の電子装置（１００）。
【請求項１３】
前記電子装置（１００）は、サウンドホールをさらに備え、前記サウンドホールが前記側部（１６）に、前記上部（１２）に隣接して設けられる、請求項１２に記載の電子装置（１００）。
【請求項１４】
本体（１０）と、前記本体（１０）に配置された表示画面（２０）であって、前記表示画面（２０）が低頻度表示サブエリア（２２２）及び前記低頻度表示サブエリア（２２２）以外の他のサブエリアを含み、前記低頻度表示サブエリア（２２２）における表示内容の変更頻度が所定の頻度閾値よりも低く、前記表示画面（２０）が前記低頻度表示サブエリア（２２２）にスロット（２４）を設けられている、表示画面（２０）と、を備え、 
前記他のサブエリア、及び前記低頻度表示サブエリア（２２２）は、同じ表示画面に構成される、電子装置（１００）。
【請求項１５】
表示エリア（２２）を含む表示画面（２０）であって、前記表示エリア（２２）が低頻度表示サブエリア（２２２）及び前記低頻度表示サブエリア（２２２）以外の他のサブエリアを含み、前記低頻度表示サブエリア（２２２）における表示内容の変更頻度が所定の頻度閾値よりも低く、前記表示画面（２０）が前記低頻度表示サブエリア（２２２）にスロット（２４）を有し、前記他のサブエリア、及び前記低頻度表示サブエリア（２２２）は、同じ表示画面に構成される、表示画面（２０）。
【発明の詳細な説明】
【技術分野】
【０００１】
本開示は、電子装置の技術分野に関し、より詳細には、表示画面を備えた電子装置に関する。
【背景技術】
【０００２】
技術の発展と共に、電子装置は、ますます広く使用されており、そしてますます多くの機能を有している。典型的には、表示画面を備えた電子装置は、日常生活において人々にとって必要な電子装置である。
【発明の概要】
【課題を解決するための手段】
【０００３】
本開示の第１の態様の実施形態は、電子装置を提供する。
【０００４】
本開示の実施形態による電子装置は、表示画面であって、表示画面が表示エリアを含み、表示エリアが低頻度表示サブエリアを含み、低頻度表示サブエリアにおける表示内容の変更頻度が所定の頻度閾値よりも低く、表示画面が低頻度表示サブエリアにスロットを設けられている、表示画面を備える。
【０００５】
一部の実施形態では、所定の頻度閾値が、表示エリアの他のサブエリアにおける表示内容の変更頻度の最小値以下である。
【０００６】
一部の実施形態では、所定の頻度閾値が、低頻度表示サブエリアの周辺サブエリアにおける表示内容の変更頻度の最小値以下である。
【０００７】
一部の実施形態では、表示画面が、表示面と表示面とは反対側を向いた背面とを備え、スロットが、表示面と背面とを貫通している。
【０００８】
一部の実施形態では、低頻度表示サブエリアが連続したサブエリアとして構成される、または低頻度表示サブエリアが複数の不連続なサブエリアを含む。
【０００９】
一部の実施形態では、表示画面が、有機発光ダイオード表示画面、フレキシブル有機発光ダイオード表示画面、および液晶表示画面のうちのいずれか１つである。
【００１０】
一部の実施形態では、貫通スロットが孔を含み、この孔が表示エリアの縁部から離間している、および／または
スロットがノッチを含み、このノッチが表示エリアの縁部に設けられている。
【００１１】
一部の実施形態では、電子装置は、入出力コンポーネントであって、入出力コンポーネントは、入出力コンポーネントがスロットを介して外部から信号を受信すること、および／または外部に信号を放出することを可能にするように、スロットに対応して配置される、入出力コンポーネントをさらに備える。
【００１２】
一部の実施形態では、複数の入出力コンポーネントが設けられ、１つのスロットが設けられ、複数の入出力コンポーネントと１つのスロットとが、位置に関して対応して配置される、または
複数の入出力コンポーネントが設けられ、複数のスロットが設けられ、スロットの数が入出力コンポーネントの数に等しく、各入出力コンポーネントと対応する１つのスロットとが、位置に関して対応して配置される。
【００１３】
一部の実施形態では、入出力コンポーネントが、カメラ、光学センサ、および受信機のうちの少なくとも１つを含む。
【００１４】
一部の実施形態では、入出力コンポーネントが２つのカメラを含み、１つのスロットが設けられ、２つのカメラと貫通スロットが、位置に関して対応して配置される、または
入出力コンポーネントが２つのカメラを含み、複数のスロットが設けられ、各カメラと対応する１つのスロットとが、位置に関して対応して配置される。
【００１５】
一部の実施形態では、電子装置は、本体であって、表示画面が本体内に配置され、本体が上部、底部、および上部と底部とに接続された側部を含む、本体をさらに備え、電子装置は、上部または側部に配置された受信機をさらに備える。
【００１６】
一部の実施形態では、電子装置は、サウンドホールをさらに備え、サウンドホールが側部において上部に隣接して設けられる。
【００１７】
本開示の第２の態様の実施形態は、電子装置を提供する。
【００１８】
本開示の実施形態による電子装置は、本体と、本体に配置された表示画面であって、表示画面が低頻度表示エリアを含み、低頻度表示エリアにおける表示内容の変更頻度が所定の頻度閾値よりも低く、表示画面が低頻度表示エリアにスロットを設けられている、表示画面と、を備える。
【００１９】
本開示の第３の態様の実施形態は、表示画面を提供する。
【００２０】
本開示の実施形態による表示画面は、表示エリアを備え、表示エリアが低頻度表示サブエリアを含み、低頻度表示サブエリアにおける表示内容の変更頻度が所定の頻度閾値よりも低く、表示画面が低頻度表示サブエリアにスロットを有する、表示画面を備える。
【００２１】
上記電子装置の表示画面は、表示エリアを含み、カメラおよび光学センサなどの機能モジュールの位置をスロットに対応させるように、低頻度表示サブエリアにスロットが設けられて、電子装置は、画面対本体比が増加した状態で機能モジュールの機能を維持し、それによってユーザエクスペリエンスを向上させる。
【００２２】
本開示の実施形態のさらなる態様および利点は、以下の説明において部分的に与えられ、以下の説明から部分的に明らかになる、または本開示の実施形態を実施することにより理解されるはずである。
【００２３】
本開示の実施形態の上記および他の態様および利点は、以下の図面を参照して行われる説明から明らかになり、より容易に理解されるはずである。
【図面の簡単な説明】
【００２４】
【図１】本開示の一実施形態による電子装置の立体図である。
【図２】本開示の一実施形態による表示画面の立体図である。
【図３】本開示の一実施形態による表示画面の平面図である。
【図４】本開示の一実施形態による表示画面の平面図である。
【図５】本開示の一実施形態による表示画面の平面図である。
【図６】本開示の一実施形態による表示画面の平面図である。
【図７】本開示の一実施形態による電子装置の平面図である。
【図８】本開示の一実施形態による電子装置の平面図である。
【図９】図８の電子装置のＩＸ部の拡大図である。
【図１０】本開示の一実施形態による電子装置の平面図である。
【図１１】本開示の一実施形態による電子装置の平面図である。
【図１２】本開示の一実施形態による電子装置の上面図である。
【図１３】本開示の一実施形態による電子装置の側面図である。
【図１４】本開示の一実施形態による電子装置の、全画面でゲームをプレイまたはビデオを再生する場合の平面図である。
【発明を実施するための形態】
【００２５】
本開示の実施形態について詳細に言及する。実施形態は、本開示を限定するものとは解釈されないものとする。同一または類似の要素、および同一または類似の機能を有する要素は、説明全体を通して類似の参照符号で示される。
【００２６】
図面を参照して本明細書で説明される実施形態は、説明のためのものであり、そして本開示を一般的に理解するために使用され、本開示を限定するものとして解釈されないものとする。
【００２７】
本発明において、別段の指定または限定のない限り、第１の特徴が第２の特徴の「上（ｏｎ）」または「下（ｂｅｌｏｗ）」にある構造は、第１の特徴と第２の特徴とが直接接触する実施形態を含むことができ、さらに第１の特徴と第２の特徴とが互いに直接接触せずに、それらの間に形成された別の特徴を介して接触する実施形態も含むことができる。さらに、第１の特徴が第２の特徴の「上（ｏｎ）」、「上方（ａｂｏｖｅ）」または「上（ｏｎ  ｔｏｐ  ｏｆ）」にあることは、第１の特徴が第２の特徴の真上または斜め「上（ｏｎ）」、「上方（ａｂｏｖｅ）」または「上（ｏｎ  ｔｏｐ  ｏｆ）」にある実施形態を含む、または単に第１の特徴の高さが第２の特徴よりも高いことだけを意味するとともに、第１の特徴が第２の特徴の「下（ｂｅｌｏｗ）」、「下方（ｕｎｄｅｒ）」または「下（ｏｎ  ｂｏｔｔｏｍ  ｏｆ）」にあることは、第１の特徴が第２の特徴の真下および斜め「下（ｂｅｌｏｗ）」、「下方（ｕｎｄｅｒ）」または「下（ｏｎ  ｂｏｔｔｏｍ  ｏｆ）」にある実施形態を含む、または単に第１の特徴の高さが第２の特徴よりも低いことだけを意味する。
【００２８】
図１および図２に示すように、本開示の実施形態による電子装置１００は、本体１０と、表示画面２０と、入出力コンポーネント３０と、を備える。電子装置１００は、携帯電話、タブレットフォン、スマートウォッチなどであり得る。本実施形態における電子装置１００の一例として、携帯電話機について説明する。
【００２９】
本体１０は、上部１２、底部１４、および側部１６を含む。上部１２および底部１４は、本体１０の２つの側にそれぞれ配置されている。例えば、図１に示すように、上部１２は本体１０の上側に配置され、底部１４は本体１０の下側に配置されている。側部は上部１２と底部１４とに接続されている。本体１０は、電子装置１００の構成要素を取り付けるためのキャリアとすることができる。例えば、電子装置１００の表示画面２０および入出力コンポーネント３０を本体１０に取り付けることができる。本体１０はまた、電子装置１００を保護することができ、例えば、電子装置１００が落下または圧縮されたときに電子装置１００が容易に分解または変形しないようにできる、または電子装置１００が雨や埃の浸食を受けないようにする。本開示の実施形態では、本体１０は、角に丸みをつられている（ｆｉｌｌｅｔｅｄ）矩形の形状を全体的に呈し、上部１２は底部１４と実質的に平行である。上部１２、底部１４、および側部１６には、インターフェースまたはキーを設けることができる。例えば、電子装置１００の機能拡張を実現するために、底部１４にはＵＳＢインターフェースが設けられ、上部１２にはイヤホンインターフェースが設けられ、側部１６には電源ボタンおよびデータカードスロットが設けられる。
【００３０】
表示画面２０は、本体１０の上部１２、底部１４、および側部１６によって囲まれた領域を覆う表示エリア２２を含む。つまり、表示エリア２２は、全画面表示エリアとして構成されている。表示エリア２２は、ビデオ、画像、テキスト、アイコンなどのデータ情報を表示するための画像画素を含む。表示画面２０は、有機発光ダイオード（ＯＬＥＤ）表示画面、フレキシブルＯＬＥＤ表示画面、または液晶表示（ＬＣＤ）画面のうちの１つとすることができる。電子装置１００は、表示画面２０を通して画像情報を表示することができ、またユーザは、電子装置１００とユーザとの間の相互作用を達成するように表示画面２０によって表示される情報に照らして、対応して電子装置１００を操作することができることが理解できよう。加えて、電子装置１００の具体的な種類、電子装置１００で使用されているオペレーティングシステム、およびユーザの習慣などの要因により、表示エリア２２の異なるサブエリアにおける表示内容が異なる頻度で変化する、つまり、表示内容のリフレッシュ頻度が異なる。本開示の一部の実施形態では、表示エリア２２は、表示内容の変更頻度またはリフレッシュ頻度が高い高頻度表示サブエリア２２４（例えば、表示エリア２２の中央部分）と、表示内容の変更頻度またはリフレッシュ頻度が低い低頻度表示サブエリア２２２（例えば、上部１２に隣接する、表示エリア２２の一部）と、を含むことができる。
【００３１】
高頻度表示サブエリア２２４と低頻度表示サブエリア２２２とは、電子装置１００の工場出荷時における電子装置１００の構成およびユーザの要件に照らして区別することができる。一部の実施形態では、（スロット２４が設けられていない）電子装置のサンプルの表示エリアの各サブエリアにおける表示内容の変化は、表示エリアの単位面積ごとの変更頻度またはリフレッシュ頻度、例えば画素ごと、または数画素ごとのリフレッシュ頻度を得るために、電子装置のサンプルの通常の使用中に検出することができる。本開示の一部の実施形態では、バックグラウンドで所定の時間間隔で電子装置によって、表示エリアにおける表示内容の画面ショットを取り込むことができ、その後、複数の画面ショットの各単位面積の色温度または明度などの特性を解析して、このような単位面積の表示内容が変化したか否かを判定する。このような単位面積の表示内容が変化した場合、表示内容のリフレッシュ頻度がさらに算出される。本開示の実施形態では、各単位面積のリフレッシュ頻度は、他の方法で検出することができるが、それについてはここでは詳述しない。
【００３２】
本開示の一部の実施形態において、一実施形態では、高頻度表示サブエリア２２４が、表示内容の変更頻度は所定の頻度以上である、表示エリア２２におけるサブエリアであり、低頻度表示サブエリア２２２は、表示内容の変更頻度が所定の頻度閾値よりも低い、表示エリア２２におけるサブエリアである。
【００３３】
本開示の一部の実施形態では、表示エリア２２における特定のサブエリアの表示内容の変更頻度を所定の頻度閾値と比較することによって、表示エリア２２は、低頻度表示サブエリア２２２と、高頻度表示サブエリア２２４と、に分割され、表示内容の変更頻度が、単位時間当たりに表示エリア２２における特定のサブエリアの表示内容が変化する回数として定義され、頻度閾値は、低頻度表示サブエリアの変更頻度に対する制限として定義される。頻度閾値の具体的な値は、電子装置１００の具体的な種類、電子装置１００のオペレーティングシステム、およびユーザの使用習慣に関連する。例えば、頻度閾値は、毎分１５回、毎分１０回、毎分８回、毎分６回、毎分５．５回、毎分３回、または毎分１回とすることができる。電子装置１００の一例として携帯電話機を考えると、表示内容の変更頻度が毎分５回未満である、表示エリア２２におけるサブエリアが、低頻度表示サブエリア２２２となり、表示内容の変更頻度が毎分５回以上である、表示エリア２２におけるサブエリアが、高頻度表示サブエリア２２４となるように、頻度閾値を毎分５回に設定することができる。
【００３４】
一実施形態では、低頻度表示サブエリア２２２は、表示エリア２２の他のサブエリアにおける表示内容のリフレッシュ頻度よりも表示内容のリフレッシュ頻度が低いサブエリアであり得る、すなわち、低頻度表示サブエリア２２２のリフレッシュ頻度は、表示エリア２２の他のサブエリアにおける表示内容のリフレッシュ頻度の最小値よりも低い。つまり、低頻度表示サブエリア２２２は、表示エリア２２におけるリフレッシュ頻度が最も低いサブエリアを少なくとも含む。低頻度表示サブエリア２２２がスロット２４を設けるための要件を満たすことができるか否か、例えば、低頻度表示サブエリア２２２の面積が十分に大きいか否か、プロセスが達成しやすいか否か、表示画面２０の外観がユーザに受け入れられやすいか否かを評価することができる。スロット２４を設けるための要件が満たされる場合、表示エリア２２の最も低いリフレッシュ頻度を有するサブエリアは、低頻度表示サブエリア２２２として構成され、その場合、低頻度表示サブエリア２２２はリフレッシュ頻度が最も低いサブエリアのみを含む。スロット２４を証明するための要件が満たされない場合、最も低いリフレッシュ頻度を有するサブエリアは、依然として低頻度表示サブエリア２２２に含まれるが、表示エリア２２の２番目に低いリフレッシュ頻度を有するサブエリアもまた低頻度表示サブエリア２２２としてみなされ、次いで、低頻度表示サブエリア２２２がスロット２４を設けるための要件を満たすことができるか否かがさらに判断される。このようにして類推できるように、最終的に選択された低頻度表示サブエリア２２２はスロット２４を設けるための要件を満たすはずである、つまり、スロット２４は低頻度表示サブエリア２２２に設けられる。その結果、低頻度表示サブエリア２２２は、上記のように、表示エリア２２における他のサブエリアよりも表示内容のリフレッシュ頻度が低くなる。
【００３５】
別の実施形態では、低頻度表示サブエリア２２２は、周辺サブエリアにおける表示内容のリフレッシュ頻度よりも表示内容のリフレッシュ頻度が低いサブエリアであり得る、すなわち、低頻度表示サブエリア２２２のリフレッシュ頻度は、周辺サブエリアにおける表示内容のリフレッシュ頻度の最小値よりも低い。例えば、低頻度表示サブエリア２２２は、複数のショートカットアイコン間のサブエリアであり得る。そのようなサブエリアのリフレッシュ頻度は比較的高いまたは比較的低い場合があるが、そのようなサブエリアのリフレッシュ頻度は周辺サブエリアのリフレッシュ頻度より低いため、そのようなサブエリアはまた低頻度表示サブエリア２２２とみなすこともできる。
【００３６】
一部の実施形態では、低頻度表示サブエリア２２２が連続したサブエリアである、または低頻度表示サブエリア２２２が複数の不連続なサブエリアを含む。つまり、低頻度表示サブエリア２２２は相互に接続されたサブエリアとすることができる、または低頻度表示サブエリア２２２は相互に接続されていない複数のサブエリアを含むことができる。
【００３７】
本開示の一部の実施形態では、電子装置１００の一例として携帯電話機を用いる。一実施形態では、図３に示すように、低頻度表示サブエリア２２２は、表示エリア２２に、上部１２に隣接する第１のサブエリア２２２２を含む。電子装置１００の複数の状態アイコン（例えば、Ｗｉ−Ｆｉ、Ｂｌｕｅｔｏｏｔｈ、バッテリ、および時計）を第１のサブエリア２２２２に表示し、横方向に並べることができる。第１のサブエリア２２２２は、複数の状態アイコンの間の領域をさらに含む。本開示の一部の実施形態では、全画面でゲームをプレイまたはビデオを再生する場合、図１４に示すように、第１のサブエリア２２２２は、異なるアプリケーションプログラム間で便利に切り替えるための複数のショートカットアイコンを示すことができる。つまり、この場合、複数の状態アイコンを複数のショートカットアイコンに置き換えて、低頻度表示サブエリア２２２の第１のサブエリア２２２２を最大限に活用することができる。
【００３８】
別の実施形態では、図６に示すように、低頻度表示サブエリア２２２は、上記の第１のサブエリア２２２２を含み、また表示エリア２２に、底部１４に隣接する第２のサブエリア２２２４を含む。第２のサブエリア２２２４は、電子装置１００の複数の仮想キー、例えばリターンキーまたはリセットキーを表示するために使用することができ、複数の仮想キーを横方向に並べることができる。第２のサブエリア２２２４は、複数の仮想キーの間の領域をさらに含み、第２のサブエリア２２２４は第１のサブエリア２２２２と連続していない。高頻度表示サブエリア２２４は、低頻度表示サブエリア２２２とは別に、表示エリア２２においてサブエリアを含むことが理解されよう。
【００３９】
図２〜図６に示すように、本開示の実施形態では、表示画面２０は、低頻度表示サブエリア２２２にスロット２４を設けられている。本開示の一部の実施形態では、スロット２４は孔２４２とすることができ、孔２４２は表示エリア２２の縁部から離間している。スロット２４はノッチ２４４とすることもでき、ノッチ２４４は表示エリア２２の縁部に設けられる。スロット２４はまた、孔２４２とノッチ２４４との両方を含むこともでき、孔２４２は表示エリア２２の縁部から離間し、ノッチ２４４は表示エリア２２の縁部に設けられる。スロット２４は、機能アイコンを表示する必要がない低頻度表示サブエリア２２２の一部に設けることができることが理解できよう。例えば、スロット２４は、電子装置１００の通常の表示に対するスロット２４の影響を少なくするために、上記状態アイコン同士の隙間、または上記仮想キー同士の隙間に設けることができる。
【００４０】
１つのスロット２４を設けることができる、または複数のスロット２４（例えば、３つ、４つ、または５つのスロット２４）を設けることができる。スロット２４は、円形、楕円形、レーストラック形、矩形、ハート形、または半円形の形を有することができる。複数のスロット２４は、等間隔に配置することができる。複数のスロット２４の中心は同一直線上に配置することができる、または複数のスロット２４の中心は特定の形状で接続することができる。
【００４１】
図２に示すように、一部の実施形態では、表示画面２０は表示面２６と背面２８とをさらに備える。表示面２６は背面２８とは反対側にあり、表示エリア２２は表示面２６内に配置されており、表示面２６は背面２８と平行にすることができる。スロット２４は表示面２６および背面２８を貫通している。よって、スロット２４は加工および獲得が容易であり、スロット２４の深さは比較的大きく、入出力コンポーネント３０をスロット２４内に都合よく配置することができる。
【００４２】
図７〜図９に示すように、入出力コンポーネント３０は、入出力コンポーネント３０がスロット２４を介して外部から信号を受信すること、および／または外部に信号を放出することを可能にするように、スロット２４に対応して配置される。本開示の一部の実施形態では、入出力コンポーネント３０は、カメラ３２、光学センサ、受信機、および指紋識別モジュールのうちの１つ以上を含むことができる。カメラ３２は、画像情報を取得するために、スロット２４を通して外部から光信号を受信することができる。光学センサは、光強度情報を得るために、スロット２４を通して外部から光信号を受信することができる。受信機は、スロット２４を通して音波情報を外部に放出することができる。指紋識別モジュールは、光波情報または音波情報を外部に放出し、反射光波情報または反射音波情報を受信して、指紋情報を取得することができる。電子装置１００の異なる種類の要件に照らして、電子装置１００に搭載される入出力コンポーネント３０の種類および数は異なり得る。例えば、本開示の例における携帯電話機では、入出力コンポーネント３０は、カメラ３２と、光学センサと、受信機と、を含む。
【００４３】
図７に示すように、一部の実施形態では、複数の入出力コンポーネント３０が設けられ、１つのスロット２４が設けられる。複数の入出力コンポーネント３０と１つのスロット２４とは、位置に関して対応して配置されている。つまり、１つのスロット２４に複数の入出力コンポーネント３０が配置されている。これにより、複数の入出力コンポーネント３０がコンパクトに構成され、スロット２４の面積が小さくなり、電子装置１００の画面対本体比がさらに向上する。さらに、複数の入出力コンポーネント３０を１つの入出力モジュール（図示せず）に一体化することができる。入出力モジュールでは、スロット２４の面積をさらに小さくするために、複数の入出力コンポーネント３０を積層することができる。
【００４４】
図８および図９に示すように、一部の実施形態では、複数の入出力コンポーネント３０が設けられ、複数のスロット２４が設けられ、スロット２４の数は入出力コンポーネント３０の数に等しい。各入出力コンポーネント３０と対応する１つのスロット２４とは、位置に関して対応して配置されている。つまり、各入出力コンポーネント３０は、対応する１つのスロット２４に配置されている。よって、異なる入出力コンポーネント３０間の相互影響を回避するための、入出力コンポーネント３０を配置する自由度が大きい。
【００４５】
図１０に示すように、一部の実施形態では、入出力コンポーネント３０は、カメラ３２を含み、２つのカメラ３２が設けられる。１つのスロット２４が設けられており、２つのカメラ３２と１つのスロット２４とが、位置に関して対応して配置されている。つまり、２つのカメラ３２が１つのスロット２４内に配置されている。あるいは、（図１１に示すように）複数のスロット２４が設けられ、各カメラ３２と対応する１つのスロット２４とが、位置に関して対応して配置される。つまり、各カメラ３２は、対応する１つのスロット２４に配置される。よって、電子装置１００は２つのカメラ３２を備え、電子装置１００は２つのカメラ３２を介して素晴らしい画像を取得することができ、それによって電子装置１００の機能をさらに拡張する。本開示の一部の実施形態では、２つのカメラ３２を横方向または縦方向に配置することができる。
【００４６】
図１２および図１３に示すように、一部の実施形態では、電子装置１００は、受信機４０をさらに備え、受信機４０は、上部１２または側部１６に配置されている。本開示の一部の実施形態では、受信機４０は、上部１２の中央位置に配置することができる、または受信機４０は、上部１２の中央位置からずれた位置に配置することもできる。サウンドホールもまた、側部１６に、上部１２に隣接して設けることができる。よって、受信機４０が上部１２または側部１６に配置されるため、表示画面２０のスペースが節約され、それによって電子装置１００の画面対本体比が改善される。
【００４７】
本明細書全体を通して、「一実施形態（ａｎ  ｅｍｂｏｄｉｍｅｎｔ）」、「一部の実施形態（ｓｏｍｅ  ｅｍｂｏｄｉｍｅｎｔｓ）」、「１つの実施形態（ｏｎｅ  ｅｍｂｏｄｉｍｅｎｔ）」、「別の例（ａｎｏｔｈｅｒ  ｅｘａｍｐｌｅ）」、「一例（ａｎ  ｅｘａｍｐｌｅ）」、「特定の例（ａ  ｓｐｅｃｉｆｉｃ  ｅｘａｍｐｌｅ）」または「一部の例（ｓｏｍｅ  ｅｘａｍｐｌｅｓ）」に言及することは、実施形態または例に関連して説明した特定の特徴、構造、材料、または特性が、本開示の少なくとも１つの実施形態または例に含まれることを意味する。従って、「一部の実施形態では（ｉｎ  ｓｏｍｅ  ｅｍｂｏｄｉｍｅｎｔｓ）」、「１つの実施形態では（ｉｎ  ｏｎｅ  ｅｍｂｏｄｉｍｅｎｔ）」、「一実施形態では（ｉｎ  ａｎ  ｅｍｂｏｄｉｍｅｎｔ）」、「別の例では（ｉｎ  ａｎｏｔｈｅｒ  ｅｘａｍｐｌｅ）」、「一例では（ｉｎ  ａｎ  ｅｘａｍｐｌｅ）」、「特定の例では（ｉｎ  ａ  ｓｐｅｃｉｆｉｃ  ｅｘａｍｐｌｅ）」、または「一部の例では（ｉｎ  ｓｏｍｅ  ｅｘａｍｐｌｅｓ）」などのフレーズの、本明細書全体を通して様々な箇所における出現は、本開示の同じ実施形態または例を必ずしも指すものではない。さらに、特定の特徴、構造、材料、または特性は、１つ以上の実施形態または例において任意の適切な方法で組み合わせることができる。
【００４８】
加えて、「第１（ｆｉｒｓｔ）」および「第２（ｓｅｃｏｎｄ）」などの用語は、本明細書では説明の目的で使用されており、相対的な重要性（ｉｍｐｏｒｔａｎｃｅ）または重要性（ｓｉｇｎｉｆｉｃａｎｃｅ）を示すもしくは黙示する、または示された技術的特徴の数を示すもしくは黙示することを意図するものではない。よって、「第１（ｆｉｒｓｔ）」および「第２（ｓｅｃｏｎｄ）」で定義された特徴は、この特徴のうちの１つ以上を含むことができる。本開示の説明において、「複数（ａ  ｐｌｕｒａｌｉｔｙ  ｏｆ）」とは、別段の指定のない限り、２つまたは３つ以上を意味する。
【００４９】
説明のための実施形態を示し説明したが、上記の実施形態は本開示を限定するものと解釈することはできず、本開示の原理および範囲から逸脱することなく変更、代替、および修正を実施形態に加えることができることが当業者には理解されよう。
【図１】
0006871387.tif 000002
【図２】
0006871387.tif 000003
【図３】
0006871387.tif 000004
【図４】
0006871387.tif 000005
【図５】
0006871387.tif 000006
【図６】
0006871387.tif 000007
【図７】
0006871387.tif 000008
【図８】
0006871387.tif 000009
【図９】
0006871387.tif 000010
【図１０】
0006871387.tif 000011
【図１１】
0006871387.tif 000012
【図１２】
0006871387.tif 000013
【図１３】
0006871387.tif 000014
【図１４】
0006871387.tif 000015